(57)【特許請求の範囲】
【請求項１】
埋込形配線器具用の取付枠を用いて、施工面に開口する埋込孔に後部が収納された状態で前記施工面に取り付けられる器体を備え、
前記器体において前記埋込孔内に収納される部位に、前記施工面の裏側に配線された信号線に成端されているモジュラプラグが差込接続される接続口と、前記接続口に浸入した水を外部に排出する排出孔とが設けられており、
前記器体において前記埋込孔内に収納される部位が、後方に行くほど斜め下方に傾斜する第１傾斜面と、後方に行くほど斜め上方に傾斜する第２傾斜面とを有する側面視略三角形状であり、前記接続口は前記第１傾斜面に設けられ、前記排出孔は前記第２傾斜面に設けられていることを特徴とするモジュラジャックコンセント。
【請求項２】
埋込形配線器具用の取付枠を用いて、施工面に開口する埋込孔に後部が収納された状態で前記施工面に取り付けられる器体を備え、
前記器体において前記埋込孔内に収納される部位に、前記施工面の裏側に配線された信号線に成端されているモジュラプラグが差込接続される接続口と、前記接続口に浸入した水を外部に排出する排出孔とが設けられており、
前記接続口及び前記排出孔は、前記器体の左右方向における一方側に形成された突出部に設けられており、
前記器体において前記埋込孔内に収納される部位である前記突出部が、後方に行くほど斜め下方に傾斜する第１傾斜面と、後方に行くほど斜め上方に傾斜する第２傾斜面とを有する側面視略三角形状であり、前記接続口は前記第１傾斜面に設けられ、前記排出孔は前記第２傾斜面に設けられていることを特徴とするモジュラジャックコンセント。
【請求項３】
前記接続口が斜め上方に開口していることを特徴とする請求項１又は２記載のモジュラジャックコンセント。
【発明の詳細な説明】
【技術分野】
【０００１】
本発明は、モジュラプラグが着脱自在に接続されるモジュラジャックコンセントに関するものである。
【背景技術】
【０００２】
近年、モジュラプラグが予め成端された信号線の採用に伴い、埋込ボックス内で先行配線が接続される接続部をモジュラジャックで構成したモジュラジャックコンセントが提供されている（例えば特許文献１参照）。このモジュラジャックコンセントは、横長の矩形箱状に形成された器体を有し、器体の前面側にプラグの接続口が設けられるとともに、埋込ボックス内に収納される器体の後部にも、信号線に成端されたモジュラプラグが接続される接続口が設けられている。さらに、器体の後部に設けられた接続口は斜め上方に開口しており、この接続口に対してモジュラプラグが斜め上方から差込接続される。
【先行技術文献】
【特許文献】
【０００３】
【特許文献１】特開２００４−１７１８８３号公報
【発明の概要】
【発明が解決しようとする課題】
【０００４】
上述の特許文献１に示したモジュラジャックコンセントでは、埋込ボックス内に生じた結露が信号線及びモジュラプラグを伝って接続口に溜まる虞があった。
【０００５】
本発明は上記問題点に鑑みて為されたものであり、その目的とするところは、埋込孔内に配置される器体の後部側の接続口に水が溜まりにくくしたモジュラジャックコンセントを提供することにある。
【課題を解決するための手段】
【０００６】
本発明のモジュラジャックコンセントは、埋込形配線器具用の取付枠を用いて、施工面に開口する埋込孔に後部が収納された状態で施工面に取り付けられる器体を備える。この器体において埋込孔内に収納される部位には、施工面の裏側に配線された信号線に成端されているモジュラプラグが差込接続される接続口と、接続口に浸入した水を外部に排出する排出孔とが設けられている。また、この器体において埋込孔内に収納される部位が、後方に行くほど斜め下方に傾斜する第１傾斜面と、後方に行くほど斜め上方に傾斜する第２傾斜面とを有する側面視略三角形状であり、接続口は第１傾斜面に設けられ、排出孔は第２傾斜面に設けられている。
本発明のモジュラジャックコンセントは、埋込形配線器具用の取付枠を用いて、施工面に開口する埋込孔に後部が収納された状態で施工面に取り付けられる器体を備える。この器体において埋込孔内に収納される部位に、施工面の裏側に配線された信号線に成端されているモジュラプラグが差込接続される接続口と、接続口に浸入した水を外部に排出する排出孔とが設けられている。そして、接続口及び排出孔は、器体の左右方向における一方側に形成された突出部に設けられている。また、この器体において埋込孔内に収納される部位である突出部が、後方に行くほど斜め下方に傾斜する第１傾斜面と、後方に行くほど斜め上方に傾斜する第２傾斜面とを有する側面視略三角形状であり、接続口は第１傾斜面に設けられ、排出孔は第２傾斜面に設けられている。
【０００９】
このモジュラジャックコンセントにおいて、接続口が斜め上方に開口しているのが好ましい。
【発明の効果】
【００１０】
埋込孔内に配置される器体の後部側の接続口に信号線及びモジュラプラグを伝って水が浸入した場合でも、排出孔により外部に排出することができるので、接続口に水が溜まりにくいモジュラジャックコンセントを提供することができるという効果がある。
【図面の簡単な説明】
【００１１】
【図１】本実施形態のモジュラジャックコンセントの一例を示し、（ａ）は正面図、（ｂ）は右側面図、（ｃ）は背面図、（ｄ）は上面図である。
【図２】（ａ）は同上を前方から見た全体斜視図、（ｂ）は同上を後方から見た全体斜視図である。
【図３】同上を施工面に取り付けた状態の正面図である。
【図４】同上を施工面に取り付けた状態の右側面図である。
【図５】同上の他の例を後方から見た全体斜視図である。
【発明を実施するための形態】
【００１２】
以下に、モジュラジャックコンセントの実施形態を図１〜図５に基づいて説明する。なお、以下の説明では特に断りがない限り、図１（ａ）に示す向きにおいて上下左右の方向を規定し、図１（ｂ）の左側を前側、図１（ｂ）の右側を後側として説明を行う。
【００１３】
本実施形態のモジュラジャックコンセント１は、後述する埋込形配線器具用の取付枠３０（例えばＪＩＳ  Ｃ  ８３７５で規格化された大角形連用配線器具の取付枠）を用いて施工面（例えば壁面）４０に取り付けられる。
【００１４】
このモジュラジャックコンセント１の器体２は合成樹脂成型品からなり、例えば前後方向において２つの部品に分割されており、これら２つの部品を結合することによって器体２が組み立てられる。
【００１５】
略矩形状に形成された器体２の前面には直方体状のボス部３が一体に設けられ、ボス部３は左右両側の段部４，４よりも前方に突出している。各段部４の側縁には、側方に向かって突出する一対の突起５がそれぞれ設けられている。また各段部４には、側方に開口する溝穴６がそれぞれ形成されている。ここに、突起５は合成樹脂製の取付枠３０に器体２を取り付けるために用いられ、溝穴６は金属製の取付枠（図示せず）に器体２を取り付けるために用いられる。
【００１６】
器体２の後部上側には傾斜面７が設けられ、この傾斜面７の左側寄りには、造営面の裏側に先行配線された信号線２０（例えば４対８芯のツイストペア線からなる）に成端されたモジュラプラグ２１が差込接続される接続口９が開口している。この接続口９の内部には、モジュラプラグ２１のコンタクトピンにそれぞれ弾接する複数極（例えば８極）のコンタクトピン（図示せず）が配置されている。ここで、モジュラジャックコンセント１が取付枠３０を用いて施工面４０に取り付けられた状態では、接続口９は、後斜め上方からモジュラプラグ２１が差込接続される向きに設けられている。つまり、接続口９は斜め上方に開口しており、これにより、接続口９に接続された信号線２０は斜め上方に導出されるため、信号線２０を真直ぐ後方に導出する場合に比べて奥行き寸法を短くでき、その結果浅型のスイッチボックス５０を用いることが可能になる。
【００１７】
また、器体２の後部下側には傾斜面８が設けられ、この傾斜面８の左側寄りには、接続口９と繋がる排出孔１０が設けられている。この排出孔１０は、接続口９に差込接続されたモジュラプラグ２１及び信号線２０を伝って接続口９に浸入した水を外部に排出するために設けられたものであり、これにより、接続口９に水が溜まりにくいモジュラジャックコンセント１を提供することができる。ここで、器体２において施工面４０に設けられた埋込孔４１内に配置される部位（つまり器体２の後部）が側面視略三角形状となっており、本実施形態では傾斜面７により第１傾斜面が構成され、傾斜面８により第２傾斜面が構成されている。このように、器体２の後部下側に傾斜面８を設けることによって、例えば図４に示すようにモジュラジャックコンセント１を上下方向に連設した場合でも、下側に配置されたモジュラジャックコンセント１の接続口９にモジュラプラグ２１を接続することができる。つまり、傾斜面８によりモジュラプラグ２１の配置スペースを確保することができる。
【００１８】
ボス部３の前面略中央には、室内側の信号線（例えば４対８芯のツイストペア線からなる）に成端されたモジュラプラグ（図示せず）が差込接続される接続口１１が開口する。この接続口１１の内部にも、モジュラプラグのコンタクトピンにそれぞれ弾接する複数極（例えば８極）のコンタクトピン（図示せず）が配置されており、これらのコンタクトピンは、上述の接続口９内に配置されたコンタクトピンと導通している。なお、図１及び図２では図示を省略しているが、器体２には、接続口１１を開閉自在に覆う扉が設けられている。このような扉は従来周知の構成であり、ここでは詳細な説明は省略する。
【００１９】
本実施形態のモジュラジャックコンセント１は、図３及び図４に示すように、施工面（例えば壁面）４０に設けられた埋込孔４１に埋め込まれたスイッチボックス５０に取付枠３０を介して取り付けられる。図３に示す取付枠３０は、埋込形配線器具である大角形連用配線器具を施工面４０に取り付ける場合に用いられる３個用（１連タイプ）のものである。この取付枠３０は合成樹脂製であって、左右の側辺３２ａ，３２ｂと、両側辺３２ａ，３２ｂの上端間を連結する上側辺３５ａと、両側辺３２ａ，３２ｂの下端間を連結する下側辺３５ｂとで矩形枠状に形成されている。左右の両側辺３２ａ，３２ｂには、器体２の両側縁に２個ずつ突設された突起５と係合する２個で１組の係合孔３３が３組ずつ設けられ、一方の側辺３２ａには、他方の側辺３２ｂとの間の距離を変えるように撓むことのできる撓み片３４が形成されている。
【００２０】
この取付枠３０にモジュラジャックコンセント１を取り付ける際には、取付枠３０の後方から、一方（左側）の側辺３２ｂの係合孔３３に、器体２の片側（左側）にある突起５を挿入する。片側の突起５が側辺３２ｂの係合孔３３に挿入された状態で、器体２の反対側（右側）を前方に押すと、器体２の反対側にある突起５に押されて撓み片３４が撓むことによって、器体２の反対側にある突起５が他方（右側）の側辺３２ａの係合孔３３に係合する。これにより、器体２の左右両側に２個ずつ設けられた突起５がそれぞれ側辺３２ａ，３２ｂの各一対の係合孔３３に係合して、モジュラジャックコンセント１が取付枠３０に取り付けられる。なおこの取付状態では、側辺３２ａ，３２ｂと上側片３５ａと下側辺３５ｂとで囲まれた開口３１から器体２のボス部３が前方に突出している。
【００２１】
一方、モジュラジャックコンセント１を取付枠３０から取り外す際には、撓み片３４と側辺３２ａとの間に前方から挿入した工具により撓み片３４を外側に撓ませると、係合孔３３と突起５との係合状態が外れ、器体２を取り外すことができる。
【００２２】
なお、金属製の取付枠（図示せず）にモジュラジャックコンセント１を取り付ける場合には、取付枠に設けられた保持爪を、器体２の左右両側にある溝穴６に嵌合させることによって、器体２が取付枠に取り付けられる。
【００２３】
ここにおいて、突起５及び溝穴６の取付寸法は、それぞれ、大角形連用配線器具の取付枠３０に３個まで取付可能な単位寸法の配線器具と略等しい取付寸法に設定されている。また、器体２の外形寸法も大角形連用配線器具の単位寸法（１個モジュール寸法）と略同じ大きさに設定されている。したがって、複数のモジュラジャックコンセント１を取付枠３０に並設したり、モジュラジャックコンセント１を他の配線器具とともに取付枠３０に並設することができる。なお、突起５及び溝穴６の取付寸法や器体２の外形寸法は上記の寸法に限定されるものではなく、適宜変更が可能である。
【００２４】
両側辺３２ａ，３２ｂの上端間、及び、下端間をそれぞれ連結する上側辺３５ａ及び下側辺３５ｂには、施工面４０に埋設されたスイッチボックス５０に取付枠３０を結合する固定ねじ（図示せず）を通すための長孔３６が設けられている。また、上側辺３５ａ及び下側辺３５ｂには、取付枠３０の前面を覆う化粧プレート（図示せず）を結合するプレートねじ（図示せず）がねじ込まれるねじ孔３７が設けられている。
【００２５】
そして、モジュラジャックコンセント１が取り付けられた取付枠３０の長孔３６に固定ねじを挿入し、この固定ねじをスイッチボックス５０のねじ孔（図示せず）にねじ込むことによって、施工面４０に埋設されたスイッチボックス５０に取付枠３０を固定することができる。さらに、化粧プレートに設けられた挿通孔（図示せず）に通したプレートねじを取付枠３０のねじ孔３７にねじ込むことによって、取付枠３０の前面に化粧プレートが固定される。
【００２６】
ここにおいて、施工面４０の裏側に先行配線された信号線２０はスイッチボックス５０内に上方から引き込まれて、先端のモジュラプラグ２１がモジュラジャックコンセント１の後部側の接続口９に差込接続される。その後、モジュラジャックコンセント１が取り付けられた取付枠３０がスイッチボックス５０に固定される。ここで、器体２の後部下側の傾斜面８に接続口９を設けた場合には、信号線２０の一部を湾曲させる必要があり、信号線２０の曲げ半径が大きい場合にはスイッチボックス５０内に信号線２０が収まらない場合がある。これに対して、本実施形態では器体２の後部上側の傾斜面７に接続口９を設けているので、信号線２０を湾曲させる必要はなく、スイッチボックス５０内に信号線２０を納めることができる。
【００２７】
図５は本実施形態のモジュラジャックコンセント１の他の例を示す全体斜視図である。図１及び図２に示したモジュラジャックコンセント１では、埋込孔４１内に配置される器体２の後部全体を後方に突出させているが、図５に示すように、器体２の左右方向における一方側（左側）のみを後方に突出させてもよい。この場合、この突出部分に接続口９及び排出孔１０を設ければよく、この突出部分により突出部が構成されている。これにより、器体２の左右方向における他方側（右側）には出っ張りがなく、この部分を通線スペースとして利用できるため、１つのスイッチボックス５０に対して複数のモジュラジャックコンセント１を施工することができる。また、ＴＶコンセントなどの他の配線器具をモジュラジャックコンセント１に並設した場合には、信号線２０に比べて太い同軸ケーブル（図示せず）などを通すこともできる。
【００２８】
なお本実施形態では、斜め上方に開口する接続口９を例に説明したが、接続口に溜まる水を外部に排出できる排出孔が設けられていれば、接続口は真直ぐ後方に開口していてもよい。また、排出孔の形状も本実施形態に限定されるものではなく、接続口に溜まる水を外部に排出できるものであればどんな形状でもよい。さらに本実施形態では、図５に示すように、器体２の左右方向における左側のみを後方に突出させているが、器体２の左右方向における右側のみを後方に突出させてもよい。この場合、器体２の左右方向における左側を通線スペースとして利用することができる。
【符号の説明】
【００２９】
１  モジュラジャックコンセント
２  器体
９  接続口
１０  排出孔
【図１】
0005975207.tif 000002
【図２】
0005975207.tif 000003
【図３】
0005975207.tif 000004
【図４】
0005975207.tif 000005
【図５】
0005975207.tif 000006